(57)【要約】【課題】ペットの飼い主等がペットの排泄物の処理やペットの排泄のトレーニングをすることに伴う苦労を軽減する。【解決手段】本発明は、ペットの排泄物を処理するペット用トイレシーツ１において、排泄物に係る水分を吸収する吸収体２と、吸収体２の上面に積層されるもので、一方の面に画像が形成された第１の吸水紙３と、第１の吸水紙３の上面に積層される第２の吸水紙４と、バックシーツ５と、第２の吸水紙４の上面に積層され、バックシーツ５の一部に圧着される不織布６とを備え、第１の吸水紙３の偏平な面を少なくとも２以上の領域に区分するとともに、２以上の領域のうち少なくとも１以上の領域の各々に関し、当該領域に対応する所定のメッセージを示す色、図形、およびテキストのうちの１以上を示す画像が形成されているペット用トイレシーツである。【選択図】図１
2017212907.tif 000002
【特許請求の範囲】
【請求項１】
ペットの排泄物を処理するペット用トイレシーツにおいて、
前記排泄物に係る水分を吸収する吸収体と、
前記吸収体の上面に積層されるもので、一方の面に画像が形成された第１の吸水紙と、
前記第１の吸水紙の上面に積層される第２の吸水紙と、
前記吸収体、前記第１の吸水紙及び第２の吸水紙を被覆するバックシーツと、
前記第２の吸水紙の上面に積層され、前記バックシーツの一部に圧着される不織布と、
を備え、前記第１の吸水紙の偏平な面を少なくとも２以上の領域に区分するとともに、前記２以上の領域のうち少なくとも１以上の領域の各々に関し、当該領域に対応する所定のメッセージを示す色、図形、およびテキストのうちの１以上を示す画像が形成されているペット用トイレシーツ。
【請求項２】
前記画像は、前記第１の吸水紙の上面に形成されている
請求項１に記載のペット用トイレシーツ。
【請求項３】
前記画像は、前記第１の吸水紙の前記吸水体と対向する下面に上側から観た画像と左右反転されて形成されている
請求項１に記載のペット用トイレシーツ。
【請求項４】
前記第２の吸水紙は、水溶性又は水解性を備える
請求項１乃至請求項３のいずれか１項に記載のペット用トイレシーツ。
【請求項５】
前記所定のメッセージは占いを示す
請求項１乃至請求項３のいずれか１項に記載のペット用トイレシーツ。
【請求項６】
前記画像は、ペットの小便または大便に含まれる所定の物質に反応して視認性が高まるインクを用いた印刷により形成されている
請求項１乃至４のいずれか１項に記載のペット用トイレシーツ。
【請求項７】
ペットの排泄物を処理するペット用トイレシーツにおいて、
前記排泄物に係る水分を吸収する吸収体と、
前記吸収体を被覆するバックシーツと、
前記吸水体の上面に積層され、前記バックシーツの一部に圧着される不織布と、
を備え、前記吸水体の上面又は前記不織布の上面を少なくとも２以上の領域に区分するとともに、前記２以上の領域のうち少なくとも１以上の領域の各々に関し、当該領域に対応する所定のメッセージを示す色、図形、およびテキストのうちの１以上を示す画像が蓄光インクにより印刷されているペット用トイレシーツ。
【発明の詳細な説明】
【技術分野】
【０００１】
本発明は、ペットの排泄物を処理するためのペット用トイレシーツに関する。
【背景技術】
【０００２】
従来、犬や猫等のペット用トイレシーツとしては、透液性の素材で形成された表面シートと、不透液性の素材で形成された裏面シートと、当該表面シートと当該裏面シートとの間に配置される液体吸収体とで構成されたものがある。
【０００３】
そして、当該ペット用トイレシーツを用いた排泄物の処理は、当該ペット用トイレシーツをペット用トイレ容器内等に予め敷いておき、ペットが排泄物を排泄した後に、新しいペット用トイレシーツに取り替えるといったものである（特許文献１参照）。
【先行技術文献】
【特許文献】
【０００４】
【特許文献１】特開２００７−２８２６０５号公報
【発明の概要】
【発明が解決しようとする課題】
【０００５】
しかしながら、一般的なペット用トイレシーツを用いて、ペットの排泄物を処理する作業は、あまり楽しくない行為であることから、その行為に遊び心を加えることで苦労を軽減することが嘱望されている。また、ペットに正しい場所で排泄を行うようにトレーニングすることは容易ではなく、その苦労を軽減することも望まれている。
【０００６】
本発明は、上記課題に鑑みてなされたものであり、その目的とするところは、ペットの飼い主等がペットの排泄物の処理やペットの排泄のトレーニングをすることに伴う苦労を軽減することにある。
【課題を解決するための手段】
【０００７】
上記課題を解決するために、本発明の第１の態様に係るペット用トイレシーツは、ペットの排泄物を処理するペット用トイレシーツにおいて、前記排泄物に係る水分を吸収する吸収体と、前記吸収体の上面に積層されるもので、一方の面に画像が形成された第１の吸水紙と、前記第１の吸水紙の上に積層される第２の吸水紙と、前記吸収体、前記第１の吸水紙及び前記第２の吸水紙を被覆するバックシーツと、前記第２の吸水紙の上面に積層され、前記バックシーツの一部に圧着される不織布と、を備え、前記第１の吸水紙の偏平な面を少なくとも２以上の領域に区分するとともに、前記２以上の領域のうち少なくとも１以上の領域の各々に関し、当該領域に対応する所定のメッセージを示す色、図形、およびテキストのうちの１以上を示す画像が形成されている。
【０００８】
ここで、前記画像は、前記第１の吸水紙の上面に形成されてよい。或は、前記画像は、前記第１の吸水紙の前記吸水体と対向する下面に上側から観た画像と左右反転されて形成されていてよい。前記第２の吸水紙は、水溶性又は水解性を備えてよい。前記所定のメッセージは占いを示してもよい。前記画像は、ペットの小便または大便に含まれる所定の物質に反応して視認性が高まるインクを用いた印刷により形成されてよい。
【０００９】
本発明の他の態様によるペット用トイレシーは、ペットの排泄物を処理するペット用トイレシーツにおいて、前記排泄物に係る水分を吸収する吸収体と、前記吸収体を被覆するバックシーツと、前記吸水体の上面に積層され、前記バックシーツの一部に圧着される不織布とを備え、前記吸水体の上面又は前記不織布の上面を少なくとも２以上の領域に区分するとともに、前記２以上の領域のうち少なくとも１以上の領域の各々に関し、当該領域に対応する所定のメッセージを示す色、図形、およびテキストのうちの１以上を示す画像が蓄光インクにより印刷されている。
【発明の効果】
【００１０】
本発明によれば、ペットの飼い主等がペットの排泄物の処理やペットの排泄のトレーニングをすることに伴う苦労を軽減することが可能なペット用トイレシーツを提供することができる。
【図面の簡単な説明】
【００１１】
【図１】本発明の一実施形態に係るペット用トイレシーツの構成図である。
【図２】同シーツに印刷される絵柄の一例を示す図である。
【図３】同シーツの使用時に絵柄が浮き出る様子を示す図である。
【図４】同シーツに印刷される絵柄の他の例を示す図である。
【発明を実施するための形態】
【００１２】
以下、図面を参照して、本発明の実施形態について説明する。
【００１３】
図１には、本発明の一実施形態に係るペット用トイレシーツの構成を示し説明する。
【００１４】
同図に示されるように、ペット用トイレシーツ１は、高吸収ポリマー２ａと綿状パルプ２ｂを内包した吸収体２を備えている。そして、この吸収体２の上面に、その上面に所定の絵柄が印刷された吸水紙３が積層され、更に吸水紙３の上面に他の吸水紙４が積層されている。これら吸水体２、吸水紙３，４の三層構造の下部及び側面部をバックシーツ５で被覆し、吸水紙４の上から不織布６を積層し、不織布６の上下左右の端をバックシーツ５の端に圧着加工する。こうして、ペット用トイレシーツ１が生成される。
【００１５】
この例では、吸水紙３，４は透液性素材で形成されており、バックシーツ５は不透液性素材で形成されている。吸水体２は、犬や猫等のペットの排泄物のうち小便、即ち水分を吸収する役割を担っている。
【００１６】
この例では、絵柄は下層の吸水紙３の上面に印刷されているが、吸水体２と対向する側に左右反転して印刷されてもよい。また、吸水体２の表面に絵柄を印刷、エンボス加工等により形成してもよい。その場合には、目隠し用の吸水紙４は不要となり、吸水紙３だけでも十分に目隠し機能を奏する。つまり、吸水紙は一層で十分となる。
【００１７】
絵柄が形成された吸水紙３の透明性が高ければ、未使用の状態で画像が外部から視認可能となる。一方、絵柄が形成された吸水紙３の透明性が低ければ、未使用の状態で画像が外部から視認困難または視認不可能となる。しかしながら、ペットがペット用トイレシーツに小便を排泄した場合、小便が吸水紙３，４に染み込み、吸水紙３，４の透明性が高まれば、吸水紙３に形成されている画像が外部から視認可能となる。その場合、飼い主は、例えば占いの内容を小便の排泄後に初めて知ることになり、予め占いの内容が見える場合と比較し、一般的に得られる楽しさが大きい。
【００１８】
このように、本実施形態に係るペット用トイレシーツでは、未使用時には画像が外部から視認困難または視認不可能であるが、使用後（ペットによる大便・小便の排泄後）にその排泄された部分に関し画像の視認性が高まる。例えば、画像として、妖怪の絵柄を印刷した場合には、『妖怪は普段は見えない』といったアニメの設定にも好適な商品となる。更に、時間が経過すると乾いて絵柄が見えにくくなるので、子供たちは、ペット用トイレシーツを早く片付けようと自発的に行動する習慣が身に付く。
【００１９】
尚、２層以上の吸水紙３，４のうち、下層の吸水紙３の上面に左右反転しない通常の画像を形成する場合、１層目の吸水紙４の裏面に左右反転した画像を形成する場合と略同様の結果が得られる。
【００２０】
吸水紙３は、ロール状の吸水紙を所定サイズにカットして製造に用いる場合、画像自体は所定単位で同じ絵柄が周期的に繰り返されるようなパターンであったとしても、画像の繰り返し周期とカットのサイズが異なれば、細断された吸水紙に印刷された画像はランダムになるので、占いのような用途には好適である。また、同じ1枚の吸水紙の中に、大吉と凶が混在することになるが、小便の範囲が広範にわたり、大吉と凶がともに浮かびあがった場合でも、一方は旅行運、他方は勉強運などとカテゴリ分けすることで矛盾が生じるのを防いでいる。
【００２１】
以上の構成に代えて、小便に含まれる物質（例えば尿素）や大便に含まれる物質（例えばメタンガス）と反応し無色から有色に変化する特殊インクにより、例えば不織布６又は吸水体２の表面上に画像を印刷することにより、未使用時には画像が見えず、小便の排泄により排泄部分の画像が浮き出るようにしてもよい。また、不織布6又は吸水体２への絵柄の印刷に蓄光インクを用いることで、夜間に発光し、ペットによる小水後のシーツを誤って踏んでしまうような危険を回避することができる。また、絵柄に妖怪等をキャラクターとして採用する場合には夜光る効果は、演出的にも好適であるといえる。
【００２２】
また、ペット用トイレシーツを構成する複数の吸水紙３，４が、小便に含まれる水分や大便の重さ等により互いに接触することにより、それら複数の吸水紙３，４のうち下層に位置する吸水紙３上に形成された画像が外部から視認可能となる構成を更に加えてもよいことは勿論である。例えば、吸水紙３，４の表面には未使用時にある程度以上の間隔が生じることを利用し、未使用時には吸水紙３の表面に印刷されている画像が外部から視認困難となるようにそれらの材質を選定する。そして、ペットが排泄した小便の水分により吸水紙３，４が接触、もしくはペットが排泄した大便の重力により吸水紙４が吸水紙３に押し付けられて接触する結果、吸水紙３の表面に印刷等されている画像が外部からよく見えるようになる、といった構成としてもよい。
【００２３】
また、ペット用トイレシーツを構成する吸水紙３，４の一方に無色または淡色の特殊インクで画像印刷をしておき、他方にその特殊インクの視認性を高める化学反応を起こさせる物質を染み込ませる等しておくことにより、それらの２枚のシートが小便の水分または大便の重力による押圧により接触した際、画像が浮き出る構成としてもよい。
【００２４】
また、ペット用トイレシーツを構成する吸水紙４を、水溶紙又は水解紙に置き換えることで画像が浮き出る仕組みを実現してもよい。この場合、例えば、ペット用トイレシーツの最上面を覆う不織布６と、占い画像が上面に印刷されている吸水紙３との間に水溶紙又は水解紙を配置することになる。すると、ペットが排泄した小便がかかった領域の水溶紙が溶けて、或は水解紙が解けて穴が空いた状態となり、未使用時には水溶紙により見えなかった（もしくは見えにくかった）占い画像が外部からよく見えるようになる。
【００２５】
また、吸水紙３の表面又は裏面に占いを示す画像が印刷等されている例を示したが、本発明はこれに限定されず、それら以外の画像が印刷等されてもよい。吸水紙３の使用時の上側表面を少なくとも２以上の領域に区分し、当該２以上の領域のうち少なくとも１以上の領域の各々に関し、当該領域に対応する所定のメッセージを示す、色、図形、およびテキストのうちの１以上を示す画像であれば、どのような画像が吸水紙３に印刷等されていてもよいことは勿論である。
【００２６】
また、印刷による形成のほか、例えばエンボス加工により吸水紙３に画像の形成が行われていてもよい。このほか、ペット用トイレシーツ１の全体形状は、先に例示した長方形の他、円形、三角形、多角形、及び各種キャラクターの形状等、多種多様なものとすることができる。例えば、円形とする場合には、吸水紙にダーツの画像を印刷することで、ペットの排泄物により得点が浮き出るようなゲームを実現することが可能となる。また、キャラクターの形状とすれば、例えば犬好きには犬の形状、猫好きには猫の形状など、デザイン選択の楽しみを提供することが可能となる。
【００２７】
以下、本実施形態にかかるペット用トイレシーツ１の使用方法の一例を説明する。
【００２８】
使用前の状態では、吸水紙３の表面又は裏面に印刷されている占いは、吸水紙４が目隠しとなって見えない状態が維持されている。このとき、吸水紙３には、図２に示されるような占いが印刷されている。そして、シーツ１の上にペットの犬もしくは猫が小便をすると、吸水紙４に小便が浸透し、更に吸水紙３，４が接触状態となる。これにより小便がなされた箇所については、図３に示されるように、占いが浮き出て示されることになる。従って、飼い主等は、ペットの排泄物の処理を、遊び心を持ちながらゲーム感覚で行うことにより、それを楽しむことができるとともに、ペットの排泄のトレーニングを効果的かつモチベーションを維持しながら行うことができる。
【００２９】
以上の印刷は一例であって、例えば吸水紙３の表目又は裏面に図４に示されるような得点をちりばめた絵柄を印刷することで、小便により浮かび上がった得点を競うようなゲームを日常のトイレケアの過程で楽しむことが可能となる。
【００３０】
以上説明したように、本実施形態によれば、ペットの飼い主は、当該ペットの排泄物の処理を楽しみながら行うことができるとともに、ペットの排泄のトレーニングの上達具合を容易に確認でき、トレーニングのモチベーションを維持することができる。
【００３１】
また、ペットの飼い主は、当該ペットの排泄の後に初めて排泄箇所の画像を見ることができるため、画像の内容の意外性を楽しむことができる。即ち、ペットによる小便または大便の排泄により画像が浮き出るため、画像の内容の意外性を楽しむことができる。
【００３２】
また、ペットの排泄の箇所は、水分が浸透し、画像の視認性が高まるため、ペットの飼い主にとって排泄の箇所の確認が容易となる。
【００３３】
また、例えばペットに排泄された小便の水分や大便の重力による押圧により隣接する２枚のシートが接触することにより、下側のシートに印刷等されている画像が浮き出るように構成を工夫した場合には、画像の内容の意外性を楽しむことができる。
【００３４】
また、上層の吸水紙を水溶紙に替えた場合には、例えばペットに排泄された小便の水分により水溶紙が溶けてその領域のみ穴が空くことにより、水溶紙の下に配置された画像がよく見えるようになる。そのため、画像の内容の意外性を楽しむことができる。
【００３５】
また、絵柄をダーツの的とした場合には、ペットの飼い主は、ダーツの的においてペットの排泄物が落とされた位置に記載されている点数を確認することによって、ゲーム感覚でペットの排泄物の処理を行うことができるとともに、的のペット用トイレシーツの中心にどの程度近い位置に排泄が行われたかを正確に知ることができる。
【産業上の利用可能性】
【００３６】
本発明にかかるペット用トイレシーツは、ペットの飼い主の遊び心を刺激することにより、ペットが飼われている多くの現場で利用されることが期待でき、数多く生産販売されて、いわゆる生産業に貢献すると考えられる。
【符号の説明】
【００３７】
１  ペット用トレイシーツ
２  吸水体
３  吸水紙
４  吸水紙
５  バックシーツ
６  不織布。
【図１】
2017212907.tif 000003
【図２】
2017212907.tif 000004
【図３】
2017212907.tif 000005
【図４】
2017212907.tif 000006